(57)【要約】【課題】住戸内に設けた住宅情報盤と、集合玄関に設けた集合玄関機と、上記住宅情報盤と上記集合玄関機との間でインターホン通話を制御する制御装置とを具備するインターホンシステムにおいて、自住戸が特定の住戸との間で、連絡することができるようにする。【解決手段】コードとメッセージ内容とを対応して記憶しているメッセージ記憶部と、上記メッセージを通知する通知先の住戸番号を設定する住戸番号設定部と、上記住戸番号設定部に設定されている住戸番号の住戸へ、上記メッセージ内容に対応しているコードと通知元のアドレス情報とからなる信号を送信する送信部と、上記信号のアドレス情報が、上記住戸番号設定部に設定された住戸番号であるかどうかを判別する判別部と、上記信号の通知元が、住戸番号設定部に設定された住戸番号であるときに、上記メッセージ内容を報知する報知手段とを有する。【選択図】図１１
2008252733.tif 000002
【特許請求の範囲】
【請求項１】
住戸内に設けられている住宅情報盤と、集合玄関に設けられている集合玄関機と、上記住宅情報盤と上記集合玄関機との間におけるインターホン通話を制御する制御装置とを具備するインターホンシステムにおいて、
操作部と；
コードとメッセージ内容とを対応して記憶しているメッセージ記憶部と；
上記メッセージを通知する通知先の住戸番号を設定する住戸番号設定部と；
上記住戸番号設定部に、通知先の住戸番号が設定されていることを示す信号を送信する送信手段と；
通知先の上記住戸番号設定部に自住戸番号が設定されたことを検出し、しかも、自住戸の上記住戸番号設定部に、上記通知先の住戸番号が設定されていると、上記通知先の住戸番号を登録する住戸番号登録部と；
上記住戸番号登録部に登録されている住戸番号の住戸へ、上記メッセージ内容に対応しているコードを送信する制御部と；
を有することを特徴とするインターホンシステムにおける住宅情報盤。
【請求項２】
住戸内に設けられている住宅情報盤と、集合玄関に設けられている集合玄関機と、上記住宅情報盤と上記集合玄関機との間に設けられるインターホン通話を制御する制御装置とを具備するインターホンシステムにおいて、
操作部と；
コードとメッセージ内容とを対応して記憶しているメッセージ記憶部と；
上記メッセージを通知する通知先の住戸番号を設定する住戸番号設定部と；
上記住戸番号設定部に設定されている住戸番号の住戸へ、上記メッセージ内容に対応しているコードと通知元のアドレス情報とからなる信号を送信する送信部と；
上記信号のアドレス情報が、上記住戸番号設定部に設定された住戸番号であるかどうかを判別する判別部と；
上記信号の通知元が、住戸番号設定部に設定された住戸番号であるときには、上記メッセージ内容を報知する報知手段と；
を有することを特徴とするインターホンシステムにおける住宅情報盤。
【請求項３】
請求項１において、
上記通知先の住戸の上記住宅情報盤が上記コードを受信すると、この受信したコードに対応するメッセージ内容を表示する表示手段を有することを特徴とするインターホンシステムにおける住宅情報盤。
【請求項４】
請求項２または請求項３において、
上記通知先の住戸における上記住宅情報盤の上記操作部を介して、メッセージを受信し、メッセージを確認したことを示す確認操作を実行すると、確認操作が実行されたことを示す信号が、自住戸の住宅情報盤に送信され、上記自住戸の住宅情報盤は、上記確認操作が行われたことを表示する手段を有することを特徴とするインターホンシステムにおける住宅情報盤。
【請求項５】
請求項１または請求項２において、
上記制御部は、メッセージ内容を送信する操作の過程で、所定時間の間、ユーザが何も操作しない場合、緊急状態を告知するメッセージを送信する手段であることを特徴とするインターホンシステムにおける住宅情報盤。
【発明の詳細な説明】
【技術分野】
【０００１】
本発明は、インターホンシステムにおける住宅情報盤に関する。
【背景技術】
【０００２】
従来、マンション等の集合住宅には、インターホンシステムが設けられている。このインターホンシステムは、住戸内に設けた住宅情報盤と、集合玄関に設けた集合玄関機と、管理人室に設けた管理人室親機および制御装置とから構成され、制御装置によって、住戸に設けた住宅情報盤と、管理人室親機または集合玄関機とのインターホン通話を行うことができる。
【０００３】
インターホン通話は、管理人室の管理人や集合玄関にいる訪問者と行うものであり、通常、各住戸間において居住者同士で、インターホン通話を行うことができない。
【０００４】
ところで、従来、住宅情報盤を電話機能付きにし、また、ＰＢＸ（構内交換機）を設け、居住者間でも通話を行えるようにしたシステムが知られている(たとえば、特許文献１参照)。
【特許文献１】特開平１１−２５２２６２号公報
【発明の開示】
【発明が解決しようとする課題】
【０００５】
上記従来例では、設備に非常にコストがかかり、また、ある居住者が全住戸の居住者に対して通話を行う必要性は殆どないことが実情である。
【０００６】
一方、同一マンション内に、家族や親しい友人が別住戸に住んでいる場合があり、これに備え、特定の住戸間でのみ連絡したいという要望がある。
【０００７】
本発明は、住戸内に設けた住宅情報盤と、集合玄関に設けた集合玄関機と、上記住宅情報盤と上記集合玄関機との間でインターホン通話を制御する制御装置とを具備するインターホンシステムにおいて、自住戸が特定の住戸との間で、連絡することができるシステムの構成が簡易であるインターホンシステムを提供することを目的とする。
【課題を解決するための手段】
【０００８】
本発明は、コードとメッセージ内容とを対応して記憶し、上記メッセージを通知する通知先の住戸番号を設定し、通知先の住戸番号が設定されていることを示す信号を送信し、通知先の上記住戸番号設定部に自住戸番号が設定されたことを検出し、しかも、自住戸の上記住戸番号設定部に、上記通知先の住戸番号が設定されていると、上記通知先の住戸番号を登録し、上記登録されている住戸番号の住戸へ、上記メッセージ内容に対応しているコードを送信する。
【発明の効果】
【０００９】
本発明によれば、住戸内に設けた住宅情報盤と、集合玄関に設けた集合玄関機と、上記住宅情報盤と上記集合玄関機との間でインターホン通話を制御する制御装置とを具備するインターホンシステムにおいて、自住戸が特定の住戸との間で連絡することができるシステムの構成が簡易であるという効果を奏する。
【発明を実施するための最良の形態】
【００１０】
発明を実施するための最良の形態は、以下の実施例である。
【実施例１】
【００１１】
図１は、本発明の実施例１であるインターホンシステムＩＳ１の概要を示すブロック図である。
【００１２】
インターホンシステムＩＳ１は、住戸内に設けられている住宅情報盤ＪＢと、集合玄関に設けられている集合玄関機３０と、上記住宅情報盤ＪＢと集合玄関機３０との間におけるインターホン通話を制御する制御装置４０とを有する。なお、Ｓ０は管理室に設けられた、管理人室親機であり、住宅情報盤ＪＢと同様な機能を有し、制御装置４０に接続されている。
【００１３】
住宅情報盤ＪＢは、住宅情報盤の総称であり、１０１号室の住戸用として、住宅情報盤ＪＢ１０１が設けられ、３０３号室の住戸用として、住宅情報盤ＪＢ３０３が設けられている。
【００１４】
住宅情報盤ＪＢ１０１に、玄関子機Ｃ１０１が接続され、住宅情報盤ＪＢ３０３に、玄関子機Ｃ３０３が接続されている。
【００１５】
実施例１において、通知したい相手の通知先の住戸番号を入力すると、その通知先の住戸番号を「設定」したといい、その通知先で自住戸の住戸番号が入力され、設定されて、互いに相手の住戸番号を「設定」すると、住戸番号が「登録」される。そして、住戸番号が「設定」されただけの状態では、メッセージを送信することはできないが、住戸番号が「登録」されている状態で、メッセージを送信することができる。
【００１６】
図２は、住宅情報盤ＪＢを示す斜視図である。
【００１７】
住宅情報盤ＪＢの表面には、図２に示すように、操作部１０と、通話釦Ｂ７と、表示手段としての表示部ＤＰと、注意灯ランプＬＡ１とが設けられている。
【００１８】
操作部１０には、メニュー釦Ｂ１と、上移動釦Ｂ２と、下移動ボタンＢ３と、決定釦Ｂ４と、火災釦Ｂ５と、復旧ボタンＢ６とが設けられている。
【００１９】
図３は、住宅情報盤ＪＢの構成を示すブロック図である。
【００２０】
住宅情報盤ＪＢは、操作部１０と、メッセージ記憶部１１と、住戸番号設定部１２と、住戸番号登録部１３と、制御部１４と、表示部ＤＰと、表示制御部１５と、通話部１６と、制御装置側Ｉ／Ｆ１７と、送受話器１８と、子機側Ｉ／Ｆ１９とを有する。なお、送受話器１８は、ハンドセット方式でもハンズフリー方式でも、どちらでもよい。
【００２１】
メッセージ記憶部１１は、コードとメッセージ内容とを対応して記憶しているメモリであり、図４に、そのメモリの記憶内容を示す。
【００２２】
図４は、実施例１において、コードとメッセージ内容との対応例を示す図である。
【００２３】
住戸番号設定部１２は、メッセージを通知する通知先の住戸番号を記憶して設定するメモリである。
【００２４】
住戸番号登録部１３は、自住戸番号設定検出手部が、通知先の住戸番号設定部１２に自住戸番号が設定されたことを検出し、しかも、自住戸の住戸番号設定部１２に、通知先の住戸番号が設定されていると、通知先の住戸番号を登録するメモリである。
【００２５】
つまり、住戸番号登録部１３は、通知先の住戸番号設定部１２に自住戸番号が設定されたことを検出し、しかも、自住戸の住戸番号設定部１２に、通知先の住戸番号が設定されていると、通知先の住戸番号を登録する住戸番号登録部の例である。
【００２６】
制御部１４は、住戸番号登録部１３に登録されている住戸番号の住戸へ、メッセージ内容に対応しているコードを送信する。
【００２７】
また、制御部１４は、住戸番号設定部１２に、通知先の住戸番号が設定されていることを示す信号を送信する送信手段の例であり、また、通知先の住宅情報盤側から、自住戸番号が設定されたことを示す信号を受信すると、通知先の住戸番号設定部１２に自住戸番号が設定されたことを検出する自住戸番号設定検出手段の例でもある。
【００２８】
さらに、制御部１４は、上記住戸番号設定部１２に設定されている住戸番号の住戸へ、メッセージ内容に対応しているコードと通知元のアドレス情報とからなる信号を送信する送信部の例であり、また、上記信号のアドレス情報が、上記住戸番号設定部に設定された住戸番号であるかどうかを判別する判別部の例である。
【００２９】
次に、上記実施例の動作について説明する。
【００３０】
以下では、住戸として１０１号室と３０３号室とに着目し、これらの間でメッセージを送受信する場合について説明する。はじめに、１０１号室と３０３号室とでそれぞれ通知先として相手側の住戸番号を相互に設定し、その後、１０１号室からメッセージ「帰宅しました」を送信する場合について説明する。
【００３１】
図５は、通知先住戸の住戸番号を設定し登録する動作を示すフローチャートである。
【００３２】
まず、通話先として３０３号室の住戸番号を、１０１号室の住宅情報盤ＪＢ１０１の住戸番号設定部１２に設定する。
【００３３】
図６は、通知先住戸の住戸番号を設定する場合における表示部ＤＰの表示例を示す図である。
【００３４】
つまり、Ｓ１で、メニュー釦Ｂ１を押すと、表示部ＤＰにメニュー画面（図１１（３１））が表示され、そこで「設定」を選択すると、設定用の画面に移行する。この中で、「ポケットメッセージ」を選択する。図６（１）に示すように、表示部ＤＰの設定用画面に、「呼出音量設定」、「明るさ調整」、「ポケットメッセージ」が表示され、これらのうちで、上移動釦Ｂ２または下移動釦Ｂ３を押して「ポケットメッセージ」を選択し、決定釦Ｂ４を押す。
【００３５】
なお、以下の表示画面における説明では、説明を省略するが、画面上に複数の項目がある場合には、図６（１）で説明した内容と同様に、上移動釦Ｂ２または下移動釦Ｂ３を使用してカーソルを移動し、所望の項目を選択した後は、決定釦Ｂ４を押して、その項目を実行する。なお、前画面に戻したいときは、メニュー釦Ｂ１を押す。
【００３６】
図６（２）に示すように、ポケットメッセージ画面が表れ、「通知先住戸の設定と変更」、「通知先住戸の確認」、「通知先住戸の消去」が表示され、Ｓ２で、「通知先住戸の設定と変更」を選択する。Ｓ３で、図６（３）〜（５）に示すように、上移動釦Ｂ２または下移動釦Ｂ３を操作して数字を上下させ、通知先住戸の住戸番号を順次、入力すると、図（６）に示すように、通知先住戸の３０３号室が表示され、確認が求められる。Ｓ３で、決定釦Ｂ４を押すと、その住戸番号３０３が設定され、つまり、住戸番号設定部１２に住戸番号３０３が記憶される。この際、Ｓ４で、その設定された住戸、つまり、３０３号室の住宅情報盤ＪＢには、１０１号室の住宅情報盤において、自住戸が設定されたことを示す信号が送信手段によって送られる。なお、３０３号室の住宅情報盤においては、自住戸番号設定検出手段が、通知先となる住宅情報盤ＪＢ１０１において、設定部１２に自住戸番号が設定されたことを検出する。
【００３７】
なお、０００等、通常、使用されない住戸番号が入力されていると、図６（７）に示すように、設定されない旨が表示される。
【００３８】
そして、Ｓ５で、通知先の住宅情報盤ＪＢ３０３において、相互に設定されているかどうかを調べる。つまり、住宅情報盤ＪＢ１０１において住戸番号３０３を、上記のように設定したが、住宅情報盤ＪＢ３０３において、住戸番号１０１が同じように設定されていれば、相互に設定されたことになり、Ｓ６で、通知先住戸から見た相手の住戸番号１０１を、住戸番号登録部１３に記憶して、相互登録されたものとする。
【００３９】
Ｓ７で、住宅情報盤ＪＢ３０３は、通知先住戸の住戸番号を設定したことを、住宅情報盤ＪＢ１０１に送出する。住宅情報盤ＪＢ１０１の制御部１４は、通知先（３０３号室）の住戸番号設定部１２に自住戸番号が設定されたことを検出し、これによって、住宅情報盤ＪＢ１０１は、自己の住戸番号登録部１３に、住戸番号３０３を記憶し、登録する。
【００４０】
次に、住戸番号が登録されているかどうかを調べる動作について説明する。
【００４１】
図７は、実施例１において、住戸番号が住戸番号登録部１３に登録されているかどうかを調べる動作を示すフローチャートである。
【００４２】
図８は、住戸番号の登録の有無を調べる場合の表示例を示す図である。
【００４３】
図８（１１）に示すように、設定用画面から「ポケットメッセージ」を選択し、図８（１２）に示すように、「通知先住戸の確認」を選択し、決定釦Ｂ４を押す。このときに、Ｓ１１で、住戸番号が登録されているかどうかを判断する。通知先住戸番号が住戸番号登録部１３に記憶されていれば、Ｓ１２で通知先住戸番号と、その住戸番号が登録されている旨とが、図８（１３）に示すように、表示部ＤＰに表示される。
【００４４】
一方、住戸番号設定部１２に、住戸番号「３０３」が設定されているものの、通知先の住戸３０３号室で、自住戸が設定されていない場合、つまり、住戸番号登録部１３に、住戸番号が記憶され登録されていなければ、Ｓ１３で、通知先住戸番号と、その住戸番号が登録されていない旨とが、図８（１４）に示すように、表示部ＤＰに表示される。なお、住戸番号設定部１２に住戸番号が設定されていなければ、図８（１５）に示すように、通知先住戸番号を設定することを勧める表示がされる。
【００４５】
図９は、住戸番号を住戸番号登録部１３から消去する場合の表示例を示す図である。
【００４６】
図９（２１）に示すように、設定用画面の中から、「ポケットメッセージ」を選択し、図９（２２）に示すように、「ポケットメッセージ」の中から、「通知先住戸の消去」を選択し、決定釦Ｂ４を押すと、通知先住戸番号を消去する旨と、消去対象の住戸番号とが、図９（２３）に示すように、表示部ＤＰに表示され、決定釦Ｂ４を押すと、図９（２４）に示すように、通知先住戸３０３号室を消去した旨が表示される。
【００４７】
なお、この際、相互に登録し合っている通知先の住戸３０３号室には、１０１号室の住戸において、相互登録の状態が解除されたことを示す信号が送信されるので、その旨を示す表示が出力される。
【００４８】
一方、通知先住戸番号が設定されていなければ、通知先住戸番号が設定されていない旨を、図９（２５）に示すように、表示部ＤＰに表示する。
【００４９】
図１０は、メッセージを送出する動作を示すフローチャートである。
【００５０】
図１１は、メッセージを送出する場合の表示例を示す図である。
【００５１】
Ｓ２１で、図１１（３１）に示すように、メニュー画面で「ポケットメッセージ」を選択する。Ｓ２２で、図１１（３２）に示すように、表示部ＤＰに５つのメッセージ内容が表示され、そのうちの１つを選択し決定釦Ｂ４を押すと、選択された１つのメッセージと通知先の住戸番号とが、図１１（３３）に示すように、表示される。これによって、Ｓ２３で、制御部１４が選択した「メッセージ」のコードと、通知元の住戸番号とを、通知先住戸に送信し、この旨は、以下のように、通知先住宅情報盤ＪＢ３０３の表示部ＤＰに表示される。
【００５２】
たとえば、「メッセージ」として「帰宅しました」を選択すると、住宅情報盤ＪＢ１０１の制御部１４は、このメッセージに対応するコード「０４」と、通知元の住戸番号１０１とを、制御装置側Ｉ／Ｆ１７と制御装置４０とを介して通知先住戸３０３号室の住宅情報盤ＪＢ３０３に送信し、この旨を、通知先住宅情報盤ＪＢ３０３の表示部ＤＰに表示する。
【００５３】
Ｓ２４で、通知先の住宅情報盤ＪＢ３０３の制御部１４は、送信元の住戸番号と、コード「０４」とを受信し、メッセージ記憶部１１から、コード「０４」に対応するメッセージ内容「帰宅しました」を読み出す。そして、「ポケットメッセージ受信中」と、１０１号室から送信された旨と、読み出されたメッセージ内容「帰宅しました」とが、図１１（３４）に示すように、表示部ＤＰに表示される。ここで、Ｓ２５で、通知先で決定釦Ｂ４を押すと、通知元の１０１号室に確認信号が送られ、Ｓ２６で、「確認しました」が、図１１（３５）に示すように、表示される。この場合、通知元では、Ｓ２７で、「３０３号室でメッセージ内容が確認されました」が、図１１（３６）に示すように、表示部ＤＰに表示され、メッセージ内容が送信先に伝わったことを認識することができる。
【００５４】
図１１（３２）に示すように、５つのメッセージ内容が表示されているが、所望のメッセージ内容が表示されていない場合には、下移動動釦Ｂ３を押し続けることによって、図１１（４１）に示すように、次頁の内容（次の５つのメッセージ内容）が表示され、この中から１つのメッセージ内容を選択し、その後は、図１１（３３）〜（３６）に示す処理を実行することができる。しかし、１つのメッセージ内容を決定した後に、通話先の住戸番号が、住戸番号登録部１３に登録されていない場合には、「通話先住戸が登録されていません」、「住戸番号を設定してください」が、図１１（４２）に示すように、表示部ＤＰに表示される。
【００５５】
ところで、通知元のユーザが、気分が悪くなる等、非常事態が発生する場合がある。つまり、通知先の友人等を呼び出す際に、「ポケットメッセージ」のメニューを操作している途中で、体調が悪くなり、操作が中断されることがある。この場合、操作が中断されてから、所定時間（たとえば１０秒間）に、選択・決定等、何らかの入力がされなければ、制御部１４は、緊急状態を告知するメッセージとしてコード０１に対応するメッセージ「来て下さい」を自動的に送信するようにしてもよい。これによって、居住者に何らかの非常事態が生じた場合に、適切に対処することができる。
【００５６】
上記実施例によれば、所定の決まったメッセージ内容を、そのメッセージに対応するコードで伝送し、しかも、相互に設定し合った特定の住戸間（登録されている住戸間）でのみ、メッセージが送受信される。このように、メッセージ内容をコードで送信するので、システム構成が簡素である。
【００５７】
また、上記実施例によれば、相互に設定し合った特定の住戸間（登録されている住戸間）でのみ、メッセージが送受信されるので、悪戯等によって、面識のない人が居住している住戸からメッセージが送られてくることを防止することができる。
【００５８】
さらに、上記実施例によれば、通知先がメッセージを受信した後に、その通知先から送信元が確認信号を受信するので、通知先である相手側の住宅情報盤で、メッセージを受け取ったかどうかを、通知元で確認することができ、通知先でメッセージを見たのか見ていないのか、心配になることがない。
【００５９】
また、上記実施例は、１つの通知先のみを、住戸番号登録部１３に記憶し、通知先を登録したが、複数の通知先について、住戸番号登録部１３に記憶し、通知先を登録するようにしてもよい。
【実施例２】
【００６０】
実施例１では、制御部１４が、住戸番号登録部１３に登録されている住戸番号の住戸へ、上記メッセージ内容に対応しているコードを送信する。
【００６１】
実施例２は、住戸番号登録部に登録されている住戸番号の住戸へ、上記メッセージ内容に対応しているコードを送信する動作を、制御部１４が実行せずに、制御装置４０が実行する実施例である。
【００６２】
実施例２における効果は、実施例１における効果と同様である。
【実施例３】
【００６３】
上記実施例１、２は、通知先住戸番号が登録されていないと、メッセージをその通知先に送信することができない。
【００６４】
実施例３は、通知先住戸番号が登録されていなくても（通知先住宅情報盤ＪＢにおいて通知元住戸番号が設定されていなくても）、所望のメッセージをその通知先に送信する実施例である。また、実施例３は、通知先住宅情報盤ＪＢにおいて、メッセージ内容を表示することができる送信元の住戸番号を予め記憶し、この記憶されている住戸番号からの受信のみを表示部ＤＰに表示し、記憶されている送信元の住戸番号以外から受信したメッセージを、表示部ＤＰに表示しない実施例である。これによって、迷惑メッセージの受信を防止することができる。
【００６５】
実施例３において、他の構成、動作は、実施例１、２と同様である。
【００６６】
実施例３における他の効果は、実施例１、２における効果と同様である。
【実施例４】
【００６７】
実施例４は、通知先住戸番号が登録されていなくても（通知先住宅情報盤ＪＢにおいて通知元住戸番号が設定されていなくても）、所望のメッセージをその通知先に送信する実施例である。
【００６８】
実施例４において、通知先住宅情報盤ＪＢでは、受信したメッセージと通知元住戸番号とがともに表示されるので、関心のある通知元以外から受信したメッセージを無視すればよい。
【００６９】
この場合、メッセージのコードを送信するので、送信側の装置構成は簡素であり、また、受信側の装置構成も簡素である。
【実施例５】
【００７０】
実施例１では、住戸番号登録部を設け、自住戸と通知先となる相手先の住戸の双方で、住戸番号設定部に互いの住戸番号が設定されたときに、通知相手として相互登録したものとしたが、この住戸番号登録部を省略し、以下のようにして、制御部によって、相互登録されているかどうかを確認するようにしてもよい。
【００７１】
図１２は、本発明の実施例５において、通知を行う住宅情報盤同士が行う信号のやりとりを示す図である。
【００７２】
この実施例５では、まずＳ３０で、住宅情報盤ＪＢ１０１の住戸番号設定部１２に、通知したい相手先の住戸番号「３０３」を設定し記録する。この設定は、図６と同じ手順で行われるが、本実施例では、登録部がないので、この「設定」作業を、住戸番号の登録としてもよい。なお、この段階においては、まだ、住宅情報盤ＪＢ３０３では、住戸「１０１」を設定部１２に設定していない未登録状態であるとする（Ｓ３１）。
【００７３】
ここで、図１０、図１１と同じ手順で、ポケットメッセージを送信する（Ｓ３２）。この場合、住宅情報盤ＪＢ１０１からは、通知元の住戸番号（１０１）とメッセージのコードが送信される。この際、通知先の住宅情報盤ＪＢ３０３の制御部１４は、送信された信号の通知元のアドレス情報（１０１）が、住戸番号設定部１２に記録されている住戸からの信号であるかどうかを判別する。言い換えると、送信信号に付与さている送信元のアドレス情報に基づいて、どの住戸からの信号であるかと判断し、その住戸の番号が、住戸番号設定部１２に登録されている住戸番号であるかどうかを判別する。
【００７４】
住戸番号設定部１２に登録されていない住戸からの信号であれば、送信元の住宅情報盤ＪＢ１０１へは、未登録である旨の信号を返信する。また、住宅情報盤ＪＢ３０３では、メッセージを表示しない（Ｓ３３）。
【００７５】
そして、Ｓ３４で、住宅情報盤ＪＢ１０１は、未登録信号を受信し、表示部ＤＰには、「通知先で未登録」になっていることを示す表示を行う。つまり、図８（１４）のように、住戸同士が相互登録されていない旨を表示する。
【００７６】
この後に、Ｓ３５で、住宅情報盤ＪＢ３０３でも、設定部１２に相手先住戸「１０１」を設定し登録する。そして、再度、Ｓ３６で、住宅情報盤ＪＢ１０１からＪＢ３０３へ、メッセージのコードを送信する。Ｓ３７で、住宅情報盤ＪＢ３０３は、メッセージを受信し、表示部ＤＰにメッセージを表示する。これは、図１１（３４）と同じである。この際、住戸３０３では、住戸番号設定部１２に「１０１」を登録してあることを示す登録信号を、住戸１０１の住宅情報盤ＪＢへ返信する。住宅情報盤ＪＢ１０１では、登録信号を受信する（Ｓ３８）。
【００７７】
そして、図１１（３５）、（３６）に示したと同様に、Ｓ３９で、住宅情報盤ＪＢ３０３で、決定釦Ｂ４を押し、メッセージの確認を行うと、 住宅情報盤ＪＢ１０１へ確認信号を送信する。住宅情報盤ＪＢ１０１が、Ｓ４０で、確認信号を受信し、メッセージが確認されたことを表示する。
【００７８】
なお、実施例１〜５においては、メッセージに対応するコードを受信した後に、表示手段がメッセージを表示部に出力するが、たとえば、メッセージに対応する音声を記憶した音声合成ＩＣを有する音声報知部を設け、コードを受信したときに、メッセージに対応する音声を、音声報知部から出力するようにしてもよい。つまり、音声報知部や表示手段によって報知手段を構成するようにしてもよい。
【図面の簡単な説明】
【００７９】
【図１】本発明の実施例１であるインターホンシステムＩＳ１の概要を示すブロック図である。
【図２】住宅情報盤ＪＢを示す斜視図である。
【図３】住宅情報盤ＪＢの構成を示すブロック図である。
【図４】実施例１において、コードとメッセージ内容との対応例を示す図である。
【図５】通知先住戸の住戸番号を設定する動作を示すフローチャートである。
【図６】通知先住戸の住戸番号を設定する場合における表示部ＤＰの表示例を示す図である。
【図７】実施例１において、住戸番号が住戸番号登録部１３に登録されていることかどうかを調べる動作を示すフローチャートである。
【図８】住戸番号の登録の有無を調べる場合の表示例を示す図である。
【図９】戸番号を住戸番号登録部１３から消去する場合の表示例を示す図である。
【図１０】メッセージを送出する動作を示すフローチャートである。
【図１１】メッセージを送出する場合の表示例を示す図である。
【図１２】本発明の実施例５において、通知を行う住宅情報盤同士が行う信号のやりとりを示す図である。
【符号の説明】
【００８０】
ＩＳ１…インターホンシステム、
ＪＢ、ＪＢ１０１、ＪＢ３０３…住宅情報盤、
１０…操作部、
Ｂ１…メニュー釦、
Ｂ２…上移動釦、
Ｂ３…下移動釦、
Ｂ４…上移動釦、
Ｂ５…火災釦、
Ｂ６…復旧釦、
Ｂ７…通話釦、
ＬＡ１…注意灯ランプ、
ＤＰ…表示部、
１１…メッセージ記憶部、
１２…住戸番号設定部、
１３…住戸番号登録部、
１４…制御部、
Ｃ１０１、Ｃ３０３…玄関子機、
３０…集合玄関機、
４０…制御装置、
５０…管理人室親機、
Ｌ…信号線。
【図１】
2008252733.tif 000003
【図２】
2008252733.tif 000004
【図３】
2008252733.tif 000005
【図４】
2008252733.tif 000006
【図５】
2008252733.tif 000007
【図６】
2008252733.tif 000008
【図７】
2008252733.tif 000009
【図８】
2008252733.tif 000010
【図９】
2008252733.tif 000011
【図１０】
2008252733.tif 000012
【図１１】
2008252733.tif 000013
【図１２】
2008252733.tif 000014